(57)【要約】    【課題】外観を損なわないようにするとともに、リンキング部が肌に当たらないようにして、肌への刺激を軽減するニット衣類、その製造方法を提供する。    【解決手段】外層ウエア7は、ネック側端部ライン800、第一の肩ライン100、左右の袖、第一の側端部ライン600を備える。内層ウエア9は、ネック側端部ライン800、第二の肩ライン200、左右の袖、第二の側端部ライン400を備える。外層ウエア7と内層ウエア9は、タートルネック部および左右の袖において連結されている。外層ウエア7の表裏が逆になるように、外層ウエア7の裾の生地をめくって、外層ウエア7により内層ウエア9を覆い包む。このとき、外層ウエア7の左右の袖も表裏を逆にし、二重構造のセーターとする。    【選択図】  図６
2005089885.tif 000002
【特許請求の範囲】
【請求項１】
２つの生地が対向して空間を構成して、タートルネック部、身頃部および左右一対の袖部を有し、着用者の肌の表面側に位置することとなる内層部材と、
２つの生地が対向して空間を構成して、前記内層部材のタートルネック部と連結するタートルネック部、身頃部および左右一対の袖部を有し、外側に位置することとなる外層部材と、
を備えたニット衣類を製造する方法であって、
前記内層部材および前記外層部材のタートルネック部における側端部ラインをリンキングする工程と、
当該工程後、前記外層部材の表裏が逆になるように、前記外層部材の身頃部の裾の生地をめくって、前記外層部材により前記内層部材を覆い包む工程と、
を備えたことを特徴とするニット衣類の製造方法。
【請求項２】
請求項１のニット衣類の製造方法において、
前記内層部材を覆い包む工程の前に、
前記内層部材および前記外層部材の身頃部における肩ライン、袖接合ラインおよび側端部ラインをリンキングする工程と、
前記内層部材および前記外層部材の袖部をリンキングする工程と、
を備えたことを特徴とするもの。
【請求項３】
請求項１または請求項２のニット衣類の製造方法において、
前記内層部材を覆い包む工程では、
前記外層部材の肩先部と前記内層部材の肩先部とを連結し、かつ、前記外層部材の肩先部と前記内層部材の脇下部とを連結してから、前記外層部材の身頃部の裾の生地をめくって、前記外層部材により前記内層部材を覆い包むことを特徴とするもの。
【請求項４】
覆側の生地および被覆側の生地が、それぞれタートルネック付きノースリーブ型からなり、それぞれネック、肩ライン、袖接合ライン、側端部ライン、裾ラインを有し、相互にネックの部分で連結している第一パーツと、
覆側の生地および被覆側の生地が、それぞれタートルネック付きノースリーブ型からなり、それぞれネック、肩ライン、袖接合ライン、側端部ライン、裾ラインを有し、相互にネックの部分で連結している第二パーツと、
一対の袖接合ラインおよび一対の側端部ラインを有する左袖パーツと、
一対の袖接合ラインおよび一対の側端部ラインを有する右袖パーツと、
を用いて、内層部材とそれを覆う外層部材からなる二層構造のニット衣類を製造する方法であって、
第一パーツと第二パーツを、それぞれネックの部分における中央線を中心に２つ折りにする工程、
２つ折りの状態で、第二パーツを覆うように第一パーツを重ね合わせる工程、
第一パーツの覆側のネック側端部、第二パーツの覆側のネック側端部、第二パーツの被覆側のネック側端部および第一パーツの被覆側のネック側端部とを接合してタートルネック部を形成する工程、
第一パーツの覆側の肩ラインと第二パーツの覆側の肩ラインとを接合する工程、
第一パーツの被覆側の肩ラインと第二パーツの被覆側の肩ラインとを接合する工程、
第一パーツの覆側の袖接合ラインと、第二パーツの覆側の袖接合ラインと、左袖パーツの一方の袖接合ラインとを接合する工程、
第一パーツの被覆側の袖接合ラインと、第二パーツの被覆側の袖接合ラインと、左袖パーツの他方の袖接合ラインとを接合する工程、
左袖パーツの一対の側端部ラインを接合する工程、
第一パーツの覆側の袖接合ラインと、第二パーツの覆側の袖接合ラインと、右袖パーツの一方の袖接合ラインとを接合する工程、
第一パーツの被覆側の袖接合ラインと、第二パーツの被覆側の袖接合ラインと、右袖パーツの他方の袖接合ラインとを接合する工程、
右袖パーツの一対の側端部ラインを接合する工程、
第一パーツの覆側の側端部ラインと、第二パーツの覆側の側端部ラインとを接合する工程、
第一パーツの被覆側の側端部ラインと、第二パーツの被覆側の側端部ラインとを接合する工程、
第一パーツの覆側の生地、第二パーツの覆側の生地、左袖パーツおよび右袖パーツにより形成される外部部材の表裏が逆になるように、第一パーツの覆側の裾ラインおよび第二パーツの覆側の裾ラインの生地をめくって、それらの裾ラインが前記タートルネック部を超えて、前記外層部材により、第一パーツの被覆側の生地、第二パーツの被覆側の生地、左袖パーツおよび右袖パーツにより形成される内層部材を覆い包む工程、
を備えたことを特徴とするニット衣類の製造方法。
【請求項５】
内層部材とそれを覆う外層部材により構成され、
２つの生地が対向して空間を構成して、タートルネック部、身頃部および左右一対の袖部を有し、着用者の肌の表面側に位置する内層部材と、
２つの生地が対向して空間を構成して、タートルネック部、身頃部および左右一対の袖部を有する外層部材と、
を備えたニット衣類において、
前記内層部材のタートルネック部と前記外層部材のタートルネック部とが互いに連結し、
前記内層部材のタートルネック部におけるリンキング部は、着用者の肌の表面側に位置しないで、前記外層部材側に位置し、
前記外層部材のタートルネック部におけるリンキング部は、外側に位置しないで、前記内層部材側に位置する、
ことを特徴とするニット衣類。
【請求項６】
請求項５のニット衣類において、
前記内層部材の身頃部および袖部におけるリンキング部は、着用者の肌の表面側に位置しないで、前記外層部材側に位置し、
前記外層部材の身頃部および袖部におけるリンキング部は、外側に位置しないで、前記内層部材側に位置することを特徴とするもの。
【請求項７】
請求項６のニット衣類において、
前記内層部材および前記外層部材の身頃部におけるリンキング部は、肩ライン、袖接合ラインおよび側端部ラインにおいて形成されたものであることを特徴とするもの。
【請求項８】
請求項５ないし請求項７のいずれかのニット衣類において、
身頃部の裾におけるリンキング部は、前記内層部材の生地が前記外層部材の生地の外側に位置するようにして形成されることを特徴とするもの。
【発明の詳細な説明】
【技術分野】
【０００１】
この発明は、内層部材と外層部材からなる二重構造のニット衣類およびその製造方法に関するものである。
【背景技術】
【０００２】
一般的なニット衣類は、その裏側（肌の表面側）における衿口ライン、身頃部の肩ライン、側端部ライン、裾ライン、左右一対の袖部の側端部ライン等の各箇所において、リンキングがなされる。
【０００３】
肌の表面側（ニット衣類の裏側）にリンキング部を形成すると、それが着用者の肌に当たって、肌が刺激され、着用者によっては肌の損傷やアトピー性皮膚炎等の悪化を招くことがある。このアトピー性皮膚炎は、肌への刺激が原因で生じる一種のアレルギー反応による慢性の皮膚炎であり、一般にかゆみが強いという症状を有する。このような肌への刺激を軽減する目的で、リンキング部を表側に形成するセーターが考えられる。
【０００４】
一方で、内層セーターと外層セーターからなる二重構造のセーターがある（特許文献1参照）。二組のニットウエアが対で構成され、それぞれの身頃部および左右一対の袖部が互いに裾部において連結した状態から（図９参照）、図１０Ａに示す二重構造にする。つまり、外層セーター903の表裏をひっくり返し、外層セーター903により内層セーター905を覆い包む。なお、図１０Ｂに、図１０Ａの線V−Vにおける二重セーターの断面図を示す。
【特許文献１】特開2002-01903049号公報
【発明の開示】
【発明が解決しようとする課題】
【０００５】
上述したリンキング部を表側に形成したセーターでは、外観を損ない、ファッション性を確保できない。また、図１０Ａに示す二重セーターでは、外層セーター903の衿ぐり開口部907と、内層セーター905の衿ぐり開口部909を編成する必要があり（図１０Ｂの断面図参照）、その衿ぐり開口部907の縫い代が首肌を刺激し、首の部分において肌荒れやアトピー性皮膚炎等の問題が生じる。
【０００６】
この発明は、このような問題を解決し、外観を損なわないようにするとともに、リンキング部が肌に当たらないようにして、肌への刺激を軽減するニット衣類およびその製造方法を提供することを目的とする。
【課題を解決するための手段】
【０００７】
(1)  この発明のニット衣類の製造方法は、２つの生地が対向して空間を構成して、タートルネック部、身頃部および左右一対の袖部を有し、着用者の肌の表面側に位置することとなる内層部材と、２つの生地が対向して空間を構成して、内層部材のタートルネック部と連結するタートルネック部、身頃部および左右一対の袖部を有し、外側に位置することとなる外層部材とを備えたニット衣類を製造する方法であって、内層部材および外層部材のタートルネック部における側端部ラインをリンキングする工程と、当該工程後、外層部材の表裏が逆になるように、外層部材の身頃部の裾の生地をめくって、外層部材により内層部材を覆い包む工程とを備えたことを特徴とする。
【０００８】
つまり、外層部材と内層部材がタートルネック部において連結しており、かつ、リンキングした後に、外層部材により内層部材を覆い包んでいるため、タートルネック部で形成されてたリンキング部が、外側（表側）に現れず、かつ、着用者の首肌に当たらないニット衣類を製造できる。言い替えれば、首の部分において、肌への刺激を軽減するニット衣類を製造できる。
【０００９】
(2)  この発明のニット衣類の製造方法において、内層部材を覆い包む工程の前に、内層部材および外層部材の身頃部における肩ライン、袖接合ラインおよび側端部ラインをリンキングする工程と、内層部材および外層部材の袖部をリンキングする工程とを備えたことを特徴とする。これにより、身頃部および袖部で形成されたリンキング部も、外側（表側）に現れず、かつ、着用者の肌に当たらないようにすることができる。
【００１０】
(3)  この発明のニット衣類の製造方法において、内層部材を覆い包む工程では、外層部材の肩先部と内層部材の肩先部とを連結し、かつ、外層部材の肩先部と内層部材の脇下部とを連結してから、外層部材の身頃部の裾の生地をめくって、外層部材により内層部材を覆い包むことを特徴とする。これにより、外層部材で内層部材を覆い包むときに、外層部材と内層部材の各部において、生地のズレが生じないようにしている。
【００１１】
(5)  この発明のニット衣類は、内層部材とそれを覆う外層部材により構成され、２つの生地が対向して空間を構成して、タートルネック部、身頃部および左右一対の袖部を有し、着用者の肌の表面側に位置する内層部材と、２つの生地が対向して空間を構成して、タートルネック部、身頃部および左右一対の袖部を有する外層部材とを備え、内層部材のタートルネック部と外層部材のタートルネック部とが互いに連結し、内層部材のタートルネック部におけるリンキング部は、着用者の肌の表面側に位置しないで、外層部材側に位置し、外層部材のタートルネック部におけるリンキング部は、外側に位置しないで、内層部材側に位置することを特徴とする。
【００１２】
したがって、リンキング部が着用者の首肌に当たることなく、肌への刺激を軽減することができる。特に、肌の弱い人にとっては、肌荒れやアトピー性皮膚炎等の問題を解決することができる。さらに、リンキング部が外側（表側）に現れないため、外観を損なうことなくファッション性を確保することができる。
【００１３】
(6)  この発明のニット衣類において、内層部材の身頃部および袖部におけるリンキング部は、着用者の肌の表面側に位置しないで、外層部材側に位置し、外層部材の身頃部および袖部におけるリンキング部は、外側に位置しないで、内層部材側に位置することを特徴とする。これにより、タートルネック部だけでなく身頃部および袖部においても、外観を損なうことなく、肌への刺激を軽減することができる。
【００１４】
(7)  この発明のニット衣類において、内層部材および外層部材の身頃部におけるリンキング部は、肩ライン、袖接合ラインおよび側端部ラインにおいて形成されたものであることを特徴とする。これにより、身頃部における肩ライン、袖接合ラインおよび側端部ラインにおいて、外観を損なうことなく、肌への刺激を軽減することができる。
【００１５】
(8)  この発明のニット衣類において、身頃部の裾におけるリンキング部は、内層部材の生地が外層部材の生地の外側に位置するようにして形成されることを特徴とする。これにより、身頃部の裾におけるリンキング部は、肌に当たることなく、肌への刺激を軽減することができる。
【００１６】
なお、この発明において、「内層部材」は、下記の実施形態において、内層ウエア9に該当する。なお、後述するように、内層ウエア9は、図４Ａに示す状態おける外側パーツ3の後方の生地、内側パーツ7の後方の生地、後方側の左袖パーツ、後方側の右袖パーツから生成される。
【００１７】
「外層部材」は、下記の実施形態において、外層ウエア7に該当する。なお、後述するように、外層ウエア7は、図４Ａに示す状態おける外側パーツ3の前方の生地と、内側パーツ7の前方の生地、前方側の左袖パーツ、前方側の右袖パーツから生成される。
【００１８】
「第一パーツ」は、下記の実施形態において、図１Ａに示す外側パーツ3に該当する。「第二パーツ」は、下記の実施形態において、図１Ｂに示す内側パーツ5に該当する。
【００１９】
「タートルネック付きノースリーブ型」の形状は、下記の実施形態において、図１Ａ、図１Ｂに示す形状に該当する。
【００２０】
第一パーツの「覆側の生地」は、下記の実施形態において、図１Ａに示す側端部ライン22a側の生地（図２Ａにて、手前側の生地）に該当する。第二パーツの「覆側の生地」は、下記の実施形態において、図１Ｂに示す側端部ライン22b側の生地に該当する。
【００２１】
第一パーツの「被覆側の生地」は、下記の実施形態において、図１Ａに示す側端部ライン12a側の生地に該当する。第二パーツの「被覆側の生地」は、下記の実施形態において、図１Ｂに示す側端部ライン12b側の生地に該当する。
【００２２】
「内層部材のタートルネック部におけるリンキング部」は、下記の実施形態において、内層ウエア9におけるネック側端部ライン800、802に該当する。「外層部材のタートルネック部におけるリンキング部」は、下記の実施形態において、外層ウエア7におけるネック側端部ライン800、802に該当する。
【００２３】
「内層部材の身頃部および袖部におけるリンキング部」は、下記の実施形態において、第二の肩ライン200、左袖の側端部ライン300、第二の側端部ライン400に該当する。「外層部材の身頃部および袖部におけるリンキング部」は、下記の実施形態において、第一の肩ライン100、左袖の側端部ライン500、第一の側端部ライン600に該当する。
【発明を実施するための最良の形態】
【００２４】
1.
以下に、この発明の一実施形態であるニット衣類の製造方法ついて説明する。図１Ａに示す外側パーツ3と、図１Ｂに示す内側パーツ5を準備する。これらは同一の形状であり、この実施形態では、裾の一端から編み始めて生成したものである。
外側パーツ3は、袖ライン10a、側端部ライン12a、袖接合ライン14a、肩ライン16a、ネックライン18a、ネックライン28a、肩ライン26a、袖接合ライン24a、側端部ライン22a、袖ライン20a・・・・を備える。なお、側端部ライン12aの長さαは、側端部ライン22aの長さβよりも大きくしている。同様に、内側パーツ5も、袖ライン10b、側端部ライン12b・・・・を備え、側端部ライン12bの長さαは、側端部ライン22bの長さβよりも大きくしている。
【００２５】
また、図１Ｃに示すような、同一の形状の二組のパーツ（左袖パーツ、右袖パーツ）を準備する。この実施形態では、袖接合ライン40から編み始めて生成する。左袖パーツは、袖接合ライン40、袖接合ライン50、側端部ライン60、側端部ライン62を備える。
【００２６】
図２Aに示すように、外側パーツ3と内側パーツ5を中央線30a、30bを中心に２つ折りにし、内側パーツ5を覆うように外側パーツ3をかぶせる（図２B参照）。図３に、外側パーツ3と内側パーツ5を重ねた状態における左袖側の概略図を示す。なお、外側パーツ3の裾丈が長い方の生地（側端部ライン12aからなるもの）と、内側パーツ5の裾丈が長い方の生地（側端部ライン12bからなるもの）とが、後方で対向するようにする（図３参照）。
【００２７】
次に、外側パーツ3のネックライン28a、18a、内側パーツ5のネックライン28b、18bの生地4枚を、中央線30の一端から肩部に向かってリンキングする（矢印方向A）。これにより、図４Ａに示すネック側端部ライン800を形成する。右袖側においても同様なリンキングを行い（図３の矢印方向B）、図４Ａに示すネック側端部ライン802を形成する。このネック側端部ライン800、802およびネック頭部804により、筒状体のタートルネック部が形成される。
【００２８】
次に、外側パーツ3の肩ライン26aと内側パーツ5の肩ライン26b（前方の2枚の生地）を、首もとから肩先に向かってリンキングする（図３の矢印方向C）。図４Ａに示すように、前方2枚の生地からなる第一の肩ライン100と、その肩先側の一端である第一の肩先部102が形成される。
【００２９】
また、外側パーツ3の肩ライン16aと内側パーツ5の肩ライン16b（後方の2枚の生地）を、肩先に向かってリンキングすることにより、第二の肩ライン200と第二の肩先部202を形成する（図３、図４Ａ参照）。なお、右袖側においても、同様のリンキングを行う。
【００３０】
次に、図４Ａ、図４Ｂに示すように、外側パーツ3の袖接合ライン14aの脇下部80に、左袖パーツの袖接合ライン40の一端42を合わせ、外側パーツ3の袖接合ライン14aに沿って、第二の肩先部202に向かってリンキングする（矢印方向D）。さらに、第二の肩先部202から、内側パーツ5の袖接合ライン14bに沿って、その脇下部82に向かってリンキングする（矢印方向E）。
【００３１】
左袖パーツの他方の袖接合ライン50についても、同様のリンキングを行う。つまり、内側パーツ5の袖接合ライン24bの脇下部に、左袖パーツの袖接合ライン50の一端52を合わせ、内側パーツ5の袖接合ライン24bに沿って、第一の肩先部102に向かってリンキングする。さらに、第一の肩先部102から、外側パーツ3の袖接合ライン24aに沿って、その脇下部に向かってリンキングする。図５Ａに、左袖パーツの両端が取り付けられた状態を示す。なお、この左袖パーツの取り付け作業を、右袖パーツについても行う。
【００３２】
図５Ａに示す状態において、左袖パーツの側端部ライン60、62のほぼ中央位置64から、後方の脇下部80、82に向かって（矢印方向F）、側端部ライン60、62をリンキングする。このとき、外側パーツ3の脇下部80と内側パーツ5の脇下部82は接合される。さらに、外側パーツ3の側端部ライン12aと内側パーツ5の側端部ライン12bとを合わせ、接合された脇下部80、82から裾の一端84に向かって（矢印方向G）、側端部ライン12a、12bをリンキングする。これにより、図５Ｂに示すように、左袖の側端部ライン300と身頃部の第二の側端部ライン400が形成される。なお、第二の側端部ライン400の両端を、第二の脇下部402と第二の裾端部404とする。
【００３３】
同様に、左袖パーツのほぼ中央位置64から矢印方向Hに、側端部ライン60、62をリンキングし、脇下部を通過し、裾の一端に向かってリンキングする（矢印方向I）。これにより、図５Ｂに示すように、左袖の側端部ライン500と身頃部の第一の側端部ライン600（第一の脇下部602、第一の裾端部604）が形成される。なお、右袖側においても、同様のリンキングを行う。
【００３４】
ここまでの工程で、図５Ｂに示すように、外層ウエア7（前方のもの）と内層ウエア9（後方のもの）が形成される。外層ウエア7は、ネック側端部ライン800、802、第一の肩ライン100、側端部ライン500側の左袖、右袖（図示せず）および第一の側端部ライン600を備える。
【００３５】
内層ウエア9は、ネック側端部ライン800、802、第二の肩ライン200、側端部ライン300側の左袖、右袖（図示せず）および第二の側端部ライン400を備える。なお、外層ウエア7と内層ウエア9は、タートルネック部および左右の袖において連結されている。
【００３６】
次に、外層ウエア7の第一の肩先部102と、内層ウエア9の第二の肩先部202とをつないで止める。さらに、外層ウエア7の第一の脇下部602と、内層ウエア9の第二の脇下部402とをつないで止める。図６に、肩先部と脇下部をつないだ状態を示す。
【００３７】
次に、外層ウエア7の表裏が逆になるように、外層ウエア7の裾の生地をめくって（図６の矢印J参照）、外層ウエア7により内層ウエア9を覆い包む。このとき、外層ウエア7の左右の袖も表裏を逆にする。図７Ａに、内層ウエア9を覆い包んで、二重構造とした状態を示す。なお、上述したように、側端部ライン12aを側端部ライン22aより長くしているため、内層ウエア9の裾丈は、外層ウエア7の裾丈より長い。
【００３８】
次に、外層ウエア7と内層ウエア9の裾を接合するため、図７Ｂに示すリンキング処理を行う。図７Ｃは、図７Ｂの線X−Xにおける断面図である。つまり、内層ウエア9の裾の生地だけを、外層ウエア7の裾ラインを覆うように表側にめくって、その生地の端部を折り返す。表側にめくった生地を、外層ウエア7と内層ウエア9の各生地1枚に対して、リンキングする。
【００３９】
以上により、図８Ａに示す二重構造のセーターが製造される。以下に、図８Ａに示す二重構造のセーターについて説明する。図８Ｂに、図８Ａの線Y−Yにおける断面図を示す。
【００４０】
ここで、図６に示す状態では、タートルネック部、身頃部（肩ライン、袖接合ライン、側端部ライン）、左右の袖部におけるすべてのリンキング部は、外層ウエア7および内層ウエア9の表面に位置する。
【００４１】
そして、外層ウエア7の表裏が逆になるように、外層ウエア7で内層ウエア9を覆い包むことにより、図６に示す外層ウエア7の裏面が、図８Ａに示す二重構造セーターの表側となり、外層ウエア7のすべてのリンキング部が表側に現れない。ゆえに、外観は損なわれず、ファッション性を保つことができる。
【００４２】
また、図６に示す内層ウエア9の裏面が、図８Ａに示す二重構造セーターの裏側（肌の表面側）となり、内層ウエア9のすべてのリンキング部は肌に当たることなく、肌への刺激を軽減することができる。また、身頃部の裾に形成されたリンキング部（図７Ｂ、図７Ｃ参照）も、外層ウエア7の外側に位置しているため、着用者の肌に当たることない。
【００４３】
2.  他の実施例
なお、上述の実施形態では、タートルネック部において、外側パーツ3と内側パーツ5の4枚の生地をすべてリンキングしているが（図３の矢印方向A）、前方2枚の生地と後方2枚の生地に分けて（各パーツ1枚ずつ）、リンキングしてもよい。
また、上述の実施形態では、図６に示すように、外層ウエア7と内層ウエア9の肩先部（102、202）および脇下部（402、602）をつないで止めている。これにより、外層ウエア7で内層ウエア9を覆い包むときに、外層ウエア7と内層ウエア9の各部において、生地のズレが生じないようにしている。しかしながら、肩先部と脇下部の両者をつながずに、外層ウエア7で内層ウエア9を覆い包んでもよい。
【００４４】
また、上述の実施形態では、外側パーツ3と内側パーツ5を折り曲げ、重ねた状態にしてリンキングしている。しかしながら、図１Ａに示す状態で（折り曲げずに広げたままで）、外側パーツ3と内側パーツ5を重ねてリンキングしてもよい。
【００４５】
また、上述の実施形態において、タートルネック部のタック側端部ライン800、802の長さγ（図４参照）は非常に小さくてもよく、また、ゼロでもよい。また、上述の実施形態では、袖タイプとして、セットインスリーブについて説明したが、ラグランスリーブ、Tスリーブ、ピコレットなどでもよい。また、外層ウエア7と内層ウエア9の素材は同一でなくてもよい。例えば、外層ウエア7をファッション性の高い化学繊維糸で編成し、内層ウエア9を肌への刺激が少ない天然繊維糸で編成してもよい。
【図面の簡単な説明】
【００４６】
【図１】外側パーツ、左袖パーツを示す図である。
【図２】外側パーツを折り曲げたとき、外側パーツが内側パーツを覆うようにかぶせた状態の図である。
【図３】外側パーツと内側パーツを重ねた状態における左袖側の概略図である。
【図４】肩ラインまでリンキングした 状態における左袖側の概略図と、左袖パーツの概略図である。
【図５】左袖パーツが取り付けられた状態における左袖側の概略図と、身頃部の裾までリンキングした状態における左袖側の概略図である。
【図６】外層ウエアと内層ウエアの肩先部と脇下部とをつないだ状態における左袖側の概略図である。
【図７】外層ウエアにより内層ウエアを覆い包んで二重構造とした状態の概略図と、身頃部の裾のリンキング処理を示す図である。
【図８】裾のリンキング処理をした後の二重構造のセーターを示す図と、線Y−Yにおける断面図である。
【図９】従来の二重構造のセーターを示す図である。
【図１０】従来の二重構造のセーターを示す図と、その断面図である。
【符号の説明】
【００４７】
3・・・・外側パーツ
5・・・・内側パーツ
7・・・・外層ウエア
9・・・・内層ウエア
10a、20a・・・・外側パーツの裾ライン
12a、22a・・・・外側パーツの側端部ライン
14a、24a・・・・外側パーツの袖接合ライン
16a、26a・・・・外側パーツの肩ライン
18a、28a・・・・外側パーツのネックライン
10b、20b・・・・内側パーツの裾ライン
12b、22b・・・・内側パーツの側端部ライン
14b、24b・・・・内側パーツの袖接合ライン
16b、26b・・・・内側パーツの肩ライン
18b、28b・・・・内側パーツのネックライン
40、50・・・・左袖パーツの袖接合ライン
60、62・・・・左袖パーツの側端部ライン
100・・・・第一の肩ライン
102・・・・第一の肩先部
200・・・・第二の肩ライン
202・・・・第二の肩先部
300、500・・・・左袖の側端部ライン
400・・・・第二の側端部ライン
402・・・・第二の脇下部
600・・・・第一の側端部ライン
602・・・・第一の脇下部
800、802・・・・ネック側端部ライン
804・・・・ネック頭部
【図１】
2005089885.tif 000003
【図２】
2005089885.tif 000004
【図３】
2005089885.tif 000005
【図４】
2005089885.tif 000006
【図５】
2005089885.tif 000007
【図６】
2005089885.tif 000008
【図７】
2005089885.tif 000009
【図８】
2005089885.tif 000010
【図９】
2005089885.tif 000011
【図１０】
2005089885.tif 000012